(57)【要約】【課題】光学フィルムを表示パネルに貼り付ける際、貼り付け開始部分における気泡や皴の発生を防止する。【解決手段】円筒形部材３の特定領域３aにおいて光学フィルム２の巻きつけを開始する。円筒部材３の特定領域３aには孔１０が形成され、孔１０を通して光学フィルム２を真空吸着したり、圧空剥離したりすることが出来る。円筒形部材３が回転して表示パネル１に光学フィルム２が接触すると同時に、円筒形部材３の孔１０に圧空を供給して光学フィルム２を円筒形部材３から剥離する。これによって光学フィルム２を皴無く表示パネル１に貼り付けることが出来る。【選択図】図２
2010145597.tif 000002
【特許請求の範囲】
【請求項１】
光学フィルムを供給する供給手段と、
前記光学フィルムを保持する保持手段と、
前記光学フィルムから糊面の保護フィルムの剥離を行う粘着面保護フィルム剥離手段と、
前記光学フィルムに表示パネルを接触させる表示パネル接触手段を有する光学フィルム貼り付け装置であって、
前記保持手段は粘着性を有する円筒形部材から構成され、
前記保持手段の回転運動に伴い、前記光学フィルムを粘着保持する位置、前記光学フィルムの粘着面保護フィルム剥離位置、前記光学フィルムと前記表示パネル接触位置を、順次前記光学フィルムが通過する配置とし、
前記円筒形部材は前記光学フィルムを特定領域において巻きつけを開始し、
前記円筒形部材の前記特定領域には真空吸引手段と圧空供給手段が接続された孔が形成されていることを特徴とする光学フィルム貼り付け装置。
【請求項２】
前記孔はグループ毎に複数形成され、グループ毎に真空吸引、圧空供給、または、真空吸引および圧空供給のいずれも行わないように切り替えが出来ることを特徴とする請求項１に記載の光学フィルム貼り付け装置。
【請求項３】
前記円筒形部材は、回転角度を検出する手段と、光学フィルムを位置決めする手段を有することを特徴とする請求項１または２に記載の光学フィルム貼り付け装置。
【請求項４】
前記円筒形部材に巻きつけられた光学フィルムを表示パネルに押し付けて貼り付けする際に、前記孔に圧空を供給することを特徴とする請求項１〜３のいずれか１項に記載の光学フィルム貼り付け装置。
【請求項５】
前記円筒形部材は、粘着性シートがローラに巻きつけられて固定された構成であることを特徴とする請求項１に記載の光学フィルム貼り付け装置。
【請求項６】
前記円筒形部材の外周面には、前記円筒形部材の外周面に付着した異物を除去するための粘着性を持ったローラが接触していることを特徴とする請求項１に記載の光学フィルム貼り付け装置。
【請求項７】
前記円筒形部材の前記粘着性シートあるいは前記ローラのいずれかは導電性を有しており、基準電位に接続されていることを特徴とする請求項５に記載の光学フィルム貼り付け装置。
【請求項８】
前記異物を除去するための粘着性を持ったローラは導電性を有しており、基準電位に接続されていることを特徴とする請求項６に記載の光学フィルム貼り付け装置。
【請求項９】
第１と第２の光学フィルムを供給する第１と第２の供給手段と、
前記第１と第２の光学フィルムを保持する第１と第２の保持手段と、
前記第１と第２の光学フィルムから糊面の保護フィルムの剥離を行う第１と第２の粘着面保護フィルム剥離手段と、
前記第１と第２の光学フィルムに表示パネルを接触させる第１と第２の表示パネル接触手段を有する光学フィルム貼り付け装置であって、
前記第１と第２の保持手段は粘着性を有する円筒形部材から構成され、
前記第１と第２の保持手段の回転運動に伴い、前記第１と第２の光学フィルムを粘着保持する位置、前記第１と第２の光学フィルムの粘着面保護フィルム剥離位置、前記第１と第２の光学フィルムと前記表示パネル接触位置を、順次前記第１と第２の光学フィルムが通過する配置とし、
前記第１と第２の円筒形部材は前記第１と第２の光学フィルムを特定領域において巻きつけを開始し、
前記第１と第２の円筒形部材の前記特定領域には真空吸引手段と圧空供給手段が接続された孔が形成されており、
前記表示パネルの第１の面には前記第１の円筒形部材から前記第１の光学フィルムが貼り付けられ、前記表示パネルの第２の面には前記第２の円筒形部材から前記第２の光学フィルムが貼り付けられることを特徴とする光学フィルム貼り付け装置。
【請求項１０】
光学フィルムを供給手段により供給し、
保持手段により前記光学フィルムを保持しながら、
粘着面保護フィルム剥離手段により光学フィルムから糊面の保護フィルムの剥離を行い、
その後、保持手段により光学フィルムを保持しながら、接触手段により前記光学フィルムを表示パネルに接触させる表示パネルへの光学フィルム貼り付け方法であって、
粘着性を有する円筒形部材により前記光学フィルムを粘着保持し、
粘着性を有する円筒形部材を回転させることにより、光学フィルムを粘着保持位置、粘着面保護フィルム剥離位置、表示パネル接触位置の順に通過させる配置とし、
前記円筒形部材は前記光学フィルムを特定領域において巻きつけを開始し、
前記円筒形部材の前記特定領域には真空吸引手段と圧空供給手段が接続された孔が形成されており、
前記円筒形部材に巻きつけられた光学フィルムを表示パネルに押し付けて貼り付けする際に、前記孔に圧空を供給して前記円筒形部材から前記光学フィルムを剥離することを特徴とする光学フィルム貼り付け方法。
【請求項１１】
前記円筒形部材が前記光学フィルムの巻きつけを開始する時に、前記孔を真空吸引して、前記光学フィルムを前記円筒形部材に吸引することを特徴とする請求項１０に記載の光学フィルム貼り付け方法。
【請求項１２】
画素電極およびＴＦＴが形成されたＴＦＴ基板とカラーフィルタが形成されたカラーフィルタ基板との間に液晶層が挟持され、前記ＴＦＴ基板および前記カラーフィルタ基板には偏光板が貼り付けられた液晶表示装置の製造方法であって、
前記偏光板は、前記偏光板の供給手段から供給された後、円筒形部材によって保持し、
粘着面保護フィルム剥離手段により前記偏光板から糊面の保護フィルムの剥離を行い、
その後、接触手段により前記偏光板を前記ＴＦＴ基板または前記カラーフィルタ基板に接触させ、
前記偏光板の前記円筒形部材による保持位置、前記保護フィルムの剥離位置、前記偏光板を前記ＴＦＴ基板及び前記カラーフィルタ基板に接触する位置への前記偏光板の移動は、前記円筒形部材を回転させることによって行われ、
前記円筒形部材は前記偏光板を特定領域において巻きつけを開始し、
前記円筒形部材の前記特定領域には真空吸引手段と圧空供給手段が接続された孔が形成されており、
前記円筒形部材に巻きつけられた前記偏光板を液晶表示装置に押し付けて貼り付けする際に、前記孔に圧空を供給して前記円筒形部材から前記偏光板を剥離することを特徴とする液晶表示装置の製造方法。
【請求項１３】
前面基板と背面基板の間に放電空間が形成され、前記放電空間における放電による紫外線によって前記放電空間に形成された蛍光体を発光させることによって画像を形成するプラズマディスプレイパネルの製造方法であって、
前記前面基板には減光フィルムが形成され、
前記減光フィルムは、前記減光フィルムの供給手段から供給された後、円筒形部材によって保持し、
粘着面保護フィルム剥離手段により前記減光フィルムから糊面の保護フィルムの剥離を行い、
その後、接触手段により前記減光フィルムを前記前面基板に接触させ、
前記減光フィルムの前記円筒形部材による保持位置、前記保護フィルムの剥離位置、前記減光フィルムを前記前面基板に接触する位置への前記減光フィルムの移動は、前記円筒形部材を回転させることによっておこなわれ、
前記円筒形部材は前記減光フィルムを特定領域において巻きつけを開始し、
前記円筒形部材の前記特定領域には真空吸引手段と圧空供給手段が接続された孔が形成されており、
前記円筒形部材に巻きつけられた前記減光フィルムをプラズマディスプレイパネルに押し付けて貼り付けする際に、前記孔に圧空を供給して前記円筒形部材から前記減光フィルムを剥離することを特徴とするプラズマディスプレイパネルの製造方法。
【請求項１４】
有機ＥＬ素子およびＴＦＴが形成された素子基板を封止基板によって封止した有機ＥＬ表示装置製造方法であって、
前記封止基板には色度調整フィルムが形成され、
前記色度調整フィルムは、前記色度調整フィルムの供給手段から供給された後、円筒形部材によって保持し、
粘着面保護フィルム剥離手段により前記色度調整フィルムから糊面の保護フィルムの剥離を行い、
その後、接触手段により前記色度調整フィルムを前記封止基板に接触させ、
前記色度調整フィルムの前記円筒形部材による保持位置、前記保護フィルムの剥離位置、前記色度調整フィルムを前記前面基板に接触する位置への前記色度調整フィルムの移動は、前記円筒形部材を回転させることによって行われ、
前記円筒形部材は前記色度調整フィルムを特定領域において巻きつけを開始し、
前記円筒形部材の前記特定領域には真空吸引手段と圧空供給手段が接続された孔が形成されており、
前記円筒形部材に巻きつけられた前記色度調整フィルムを有機ＥＬ表示装置に押し付けて貼り付けする際に、前記孔に圧空を供給して前記円筒形部材から前記色度調整フィルムを剥離することを特徴とする有機ＥＬ表示装置の製造方法。
【請求項１５】
マトリクス状に配置されたカソードが形成されたカソード基板と、前記カソードに対応して蛍光体が形成されたアノード基板を対向させ、内部を真空にした電界効果型ディスプレイパネルの製造方法であって、
前記アノード基板には減光フィルムが形成され、
前記減光フィルムは、前記減光フィルムの供給手段から供給された後、円筒形部材によって保持し、
粘着面保護フィルム剥離手段により前記減光フィルムから糊面の保護フィルムの剥離を行い、
その後、接触手段により前記減光フィルムを前記アノード基板に接触させ、
前記減光フィルムの前記円筒形部材による保持位置、前記保護フィルムの剥離位置、前記減光フィルムを前記前面基板に接触する位置への前記減光フィルムの移動は、前記円筒形部材を回転させることによって行われ、
前記円筒形部材は前記減光フィルムを特定領域において巻きつけを開始し、
前記円筒形部材の前記特定領域には真空吸引手段と圧空供給手段が接続された孔が形成されており、
前記円筒形部材に巻きつけられた前記減光フィルムを電界効果型ディスプレイパネルに押し付けて貼り付けする際に、前記孔に圧空を供給して前記円筒形部材から前記減光フィルムを剥離することを特徴とする電界効果型ディスプレイパネルの製造方法。
【発明の詳細な説明】
【技術分野】
【０００１】
本発明は液晶ディスプレイ、プラズマディスプレイ、有機ＥＬディスプレイなどのフラットパネル表示装置の製造において、表示パネルに対して、偏光板、反射防止フィルム、視野角拡大フィルムなどの光学機能を持ったフィルムを気泡やしわを発生させずに貼付ける製造方法および製造装置に関する。
【背景技術】
【０００２】
液晶ディスプレイ装置の製造工程では、ＴＦＴ（Thin Film Transistor）基板とカラーフィルター基板との間に液晶を封入して液晶パネルを構成した後、液晶パネルの表面および裏面に偏光機能及びその他光学機能を持つフィルムの貼付けが行われる（以下では、偏光板と総称する）。偏光板の片面には粘着剤が塗布してあり、さらにそれを覆う糊面保護フィルムが貼付けられている。偏光板の貼付けには一般に自動化された装置が使用されている。偏光板を液晶パネルに貼付ける際には、糊面保護フィルムを剥離した後に、気泡やしわが発生しないように圧着させる。
【０００３】
これらの技術は、例えば「特許文献１」、「特許文献２」および「特許文献３」に記載されている。「特許文献１」に記載の方法は、偏光板保持体で保持した偏光板の前縁を液晶パネルに接触させた後、加圧ローラにより加圧しながら移動することで基板に貼付けていく方法である。「特許文献２」に記載の方法は、光学フィルムの糊面を液晶セルに密着させ、一方の光学フィルムの端部を吸着パッドによって保持して皺にならないよう張力をコントロールしながら、加圧ローラにより貼付けて行く方式である。
【０００４】
また、「特許文献２」の第２の実施例では、真空もしくは弱い粘着により円筒状の偏光板保持体に偏光板を貼付ける方式が記載されている。「特許文献３」には、キャリアテープに固定されて供給される偏光板を液晶パネルに貼付ける方法が記載されているが、ここではキャリアテープを円筒形の偏光板保持体に設けた多数の微細な真空吸着孔で、キャリアテープを巻付けた部分全体で吸着保持する技術が記載されている
【特許文献１】特開昭６３−２１２９０３号公報
【特許文献２】特開平６−２５５０６３号公報
【特許文献３】特開平８−２６２４２９号公報
【発明の開示】
【発明が解決しようとする課題】
【０００５】
液晶パネルに偏光板を貼付ける「特許文献１」に記載の方法では、偏光板を真空吸着によって保持する平板状の偏光板保持体で平面保持する。この時、偏光板が最初に液晶パネルに接触する部分である前縁は、偏光板保持体で保持されない。
【０００６】
偏光板の前縁を液晶パネルに接触させた後、加圧ローラにより前者を加圧しながら液晶パネルと共に偏光板をしごき出すことで、液晶パネルに偏光板の貼付けを行っている。この方法では偏光板と液晶パネルが接触した瞬間に、接触状態が不安定になりやすい。
【０００７】
このため、高速で貼付ける場合や、偏光板の板厚が薄い場合に、気泡やしわが発生する確率が高くなる。また、偏光板終縁でも偏光板が偏光板保持体から離れ、平面保持されない瞬間が生じるため、同様に気泡やしわが発生しやすくなる。
【０００８】
一般的に偏光板は、その両面が保護フィルムで覆われ、保護されている。このうち粘着剤が塗布された糊面を保護するフィルムを剥がしてから、液晶パネルに貼付けを行う。もう一方の糊面と反対側の面を覆う偏光板表面保護フィルムは、製品保護のために偏光板貼付け工程では剥がさない。
【０００９】
糊面保護フィルムを剥がす時は、偏光板は偏光板支持体から脱落したり位置ずれしたりしないように、剥がす時に発生する引剥がし力よりも強い保持力で固定されなければならない。偏光板保持体が真空吸着機構の場合、真空吸着の強弱により制御できることは、公知である。
【００１０】
しかし、「特許文献２」の実施例において、粘着ローラの粘着力で偏光板を保持する場合、糊面保護フィルムを剥がすときのために強い粘着力のローラを用いる必要があるが、強い粘着力のローラを用いると偏光板を保持はできるが、同ローラで偏光板を液晶パネルに貼付ける際に、偏光板表面保護フィルムを剥がしてローラ面に巻上げてしまうという問題が生じる。
【００１１】
「特許文献２」の実施例において、ローラの円筒面に吸着孔を設けて負圧により偏光板を吸着し、弱粘着性ゴムを巻付けた1対のローラで偏光板を粘着させて偏光板を液晶パネルに貼付ける方式が提案されている。これにより、偏光板の貼り始めと貼り終わりについては、気泡やしわの発生を抑える効果があるが、糊面の保護フィルムを剥がす時に偏光板がローラから脱落する、あるいは糊面と反対側の保護フィルムが貼付け時に偏光板から剥がされるという問題は解決できない。
【００１２】
「特許文献３」の方法は多数の微細な吸気孔を円筒面に持つローラを用いた偏光板貼付けである。偏光板を多数、等ピッチで貼付けたキャリアテープをローラに巻付け、吸着させる。1対のローラの間に液晶パネルを挟みこみ、ローラを回転させることで、偏光板を貼付ける方式であった。しかし、パネルサイズが大きくなると、偏光板はキャリアテープでの供給ではなく、枚葉供給が主流となる。
【００１３】
この場合、多数の微細な吸気孔のローラで偏光板を保持しようとすると、ある偏光板サイズに特化するような吸気孔の分布になってしまう。つまり、偏光板サイズが設定したものよりも大きい場合は部分的な吸着不良を発生し、逆に小さい場合は空気漏れにより、吸着力が低下してしまう。これが偏光板の搬送不良や貼付け時の気泡・しわの発生原因となっていた。
【００１４】
以上を鑑み、本発明においては（１）光学フィルムと表示パネルとの貼付けで貼付け始め及び貼付け終わり近傍の領域で気泡としわを発生させない、（２）偏光板を脱落させず、偏光板の糊面と反対側の面を保護する保護フィルムが偏光板から剥がれ落ちないようにして、偏光板を液晶パネルに貼付ける、（３）        パネルサイズ及び偏光板サイズの変更に柔軟に対応できるという機能を満足させる製造方法及び製造装置を提供することを目的とする。
【課題を解決するための手段】
【００１５】
前記課題を解決するための、本発明の代表的な製造装置は次のようなものである。
【００１６】
すなわち、光学フィルムを供給する供給手段と、前記光学フィルムを保持する保持手段と、前記光学フィルムから糊面の保護フィルムの剥離を行う粘着面保護フィルム剥離手段と、前記光学フィルムに表示パネルを接触させる表示パネル接触手段を有する光学フィルム貼り付け装置であって、前記保持手段は粘着性を有する円筒形部材から構成され、前記保持手段の回転運動に伴い、前記光学フィルムを粘着保持する位置、前記光学フィルムの粘着面保護フィルム剥離位置、前記光学フィルムと前記表示パネル接触位置を、順次前記光学フィルムが通過する配置とし、前記円筒形部材は前記光学フィルムを特定領域において巻きつけを開始し、前記円筒形部材の前記特定領域には真空吸引手段と圧空供給手段が接続された孔が形成されていることを特徴とする光学フィルム貼り付け装置である。
【００１７】
光学フィルムのサイズに柔軟に対応するために、本発明の装置の構成は、前記孔はグループ毎に複数形成され、グループ毎に真空吸引、圧空供給、または、真空吸引および圧空供給のいずれも行わないように切り替えが出来る光学フィルム貼り付け装置とすることも出来る。
【００１８】
また、前記課題を解決するための、本発明の製造方法に関する主な手段は次のとおりである。
【００１９】
すなわち、光学フィルムを供給手段により供給し、保持手段により前記光学フィルムを保持しながら、粘着面保護フィルム剥離手段により光学フィルムから糊面の保護フィルムの剥離を行い、その後、保持手段により光学フィルムを保持しながら、接触手段により前記光学フィルムを表示パネルに接触させる表示パネルへの光学フィルム貼り付け方法であって、粘着性を有する円筒形部材により前記光学フィルムを粘着保持し、粘着性を有する円筒形部材を回転させることにより、光学フィルムを粘着保持位置、粘着面保護フィルム剥離位置、表示パネル接触位置の順に通過させる配置とし、前記円筒形部材は前記光学フィルムを特定領域において巻きつけを開始し、前記円筒形部材の前記特定領域には真空吸引手段と圧空供給手段が接続された孔が形成されており、前記円筒形部材に巻きつけられた光学フィルムを表示パネルに押し付けて貼り付けする際に、前記孔に圧空を供給して前記円筒形部材から前記光学フィルムを剥離することを特徴とする光学フィルム貼り付け方法である。
【発明の効果】
【００２０】
本発明によれば、偏光板などの光学フィルムを、保持手段である円筒形部材で粘着力と真空吸着を用いて確実に保持できるため、先端部や終端部で光学フィルムが保持手段から脱落することなく、光学フィルムと表示パネルとを高速に貼付けた場合でも、貼り始め及び貼り終わりで光学フィルム端部が不安定に表示パネルに接触することがなく、終始滑らかに貼付けられるため光学フィルムの前縁や終縁近傍の領域で気泡やしわを発生させず貼付けることが可能となる製造方法及び製造装置が得られる。
【００２１】
本発明によれば、最も脱落しやすい光学フィルムの前縁を円筒形部材の粘着に加えて円筒形部材に設けられた孔から光学フィルムを真空吸着することで、光学フィルムの前縁や終縁に発生するそりや皴を矯正して保持することが可能である。
【００２２】
また、糊面保護フィルムの剥離時の引剥がし力による位置ずれや脱落をさせず保持することが可能で、光学フィルムが表示パネルに圧着されるまで円筒形部材に安定的に支持することが可能である。
【００２３】
さらに、圧着した瞬間に、光学フィルムに対して真空吸着から圧空の供給に切替えることで、円筒形部材の粘着力による光学フィルム前縁における糊面に対して反対側の保護フィルムの巻上がりを発生させずに、光学フィルムを表示パネルに貼付けることが可能となる。
【００２４】
本発明によれば、保持手段である円筒形部材に設けられた孔が、個々またはグループ毎に真空源に接続状態、圧空源へ接続した状態、またはどちらにも接続しない状態の３つの接続状態に切替えることができ、光学フィルムに合わせて吸着または圧空供給範囲を変更できるのでパネルサイズに柔軟に対応できる製造方法及び製造装置が得られる。
【００２５】
本発明の製造方法によれば、光学フィルム全面にわたり気泡やしわのない高品質な表示パネルを製作することが可能となる。
【発明を実施するための最良の形態】
【００２６】
以下実施例によって本発明に内容を詳しく説明する。
【実施例１】
【００２７】
本発明の光学フィルムの前縁に真空吸着および圧空供給可能な孔が一列設けられている粘着ローラによる光学フィルム貼付け装置および貼付方法の実施例を説明する。ここで例に挙げる光学フィルムは、両面がフィルムで覆われた片面に粘着性のある糊が塗布されている光学フィルムの複合体である。以下では液晶パネルにおける偏光板の貼付けを例に挙げ、まず、偏光板の構造、偏光板貼付け装置の構成、偏光板の貼付けに必要な条件と動作を説明する。
【００２８】
偏光板の構造を図1に示す。偏光板２は、光学機能を持つ偏光板本体２ｃを２枚の保護フィルムで挟んだ３枚の部材で構成されている。光学機能を持つ偏光板本体２ｃは、液晶パネルに接着させるために糊２ｂが塗布されている。糊２ｂを覆うように糊面保護フィルム２ａが貼られており、糊面保護フィルム２ａは、貼付け前に引き剥がすため通常シリコーンなどの離型材などによる表面処理が施されている。
【００２９】
糊２ｂの反対側の偏光板本体２ｃ面を覆う傷防止保護フィルム２ｅは、偏光板本体に傷が付かないように保護するフィルムであり、傷防止保護フィルム２e自身に糊２ｄが塗布されている。この傷防止保護フィルム２ｅは偏光板本体２ｃに貼付けられた状態で液晶パネル組立の最終工程まで処理される。
【００３０】
第２図は本発明による液晶パネルへの偏光板の貼付けを実現する偏光板貼付け装置の概要を示す斜視図である。偏光板貼付け装置は、偏光板の貼付けおよび偏光板の保持機能をもつ一対の粘着ローラ３と偏光板２を保持するときに押圧するための巻付けローラ４、糊面保護フィルムを剥離するための剥離ユニット５、駆動源１２、真空吸引と圧空の切替えを行う切替弁６ａ、６ｂ、バルブ切替え制御用のコントローラ８、貼付ローラ３の位置情報を検出する角度検出器７で構成されている。
【００３１】
粘着ローラ３は、偏光板前縁の保持位置に真空吸着および圧空供給可能な孔１０が一列設置されており、個々の開閉バルブ６ｃを介して配管９につながっている。この貼付け装置の基本的な動作は、偏光板２を粘着ローラ３の円筒面で保持し、粘着ローラ３が駆動源１２により回転することで液晶パネル１を両方から挟み、偏光板２を貼付けていくものである。
【００３２】
図３のフローチャートと図４および図５を用いて本実施例の貼付け動作を説明する。図４および図５は図３に記載するフローチャートを詳細に図解したものであり、図４および図５について詳細に説明する。図４および図５は、図２で示すＡ-Ａ断面図である。液晶パネル１は図示しない投入口から水平方向に投入され、９０度に回転した後、搬送ローラ１７貼付け位置の手前で機械的な押付けあるいは光学的なエッジ検出１５によって位置決めされる。
【００３３】
一方、偏光板２はカセットやマガジンなどの貼付け装置内部の偏光板供給部に保管されている。偏光板２はこのカセットまたはマガジンから枚葉で取り出され、搬送ローラ１８により粘着ローラ３の巻き取り位置まで搬送され、機械的な押付けあるいは光学的なエッジ検出機１６に基づいて位置決めが行われる。
【００３４】
次に偏光板を粘着ローラ３に受け渡す。このときの状態を図４（ａ）に示す。偏光板は、粘着ローラ３の粘着力と孔１０からの真空吸着により保持するため、偏光板の前縁が孔１０を覆うまで巻き取られた後真空吸着を開始する例を挙げるが、偏光板が粘着ローラ３から脱落する虞がない場合は、真空吸着を使用しなくてもかまわない。
【００３５】
粘着ローラ３は、偏光板の受取り位置で巻付け始められるように、ポテンショメータ、エンコーダなどの回転角度検出器または特定角度で反応するように調整した光電センサ（図示せず）などによって巻付けローラの回転角度を合わせ込むことができる。粘着ローラ３の角度検出については、常に偏光板２の巻付け開始時に、常に同じ向きに向けられたことを検証できるのであれば、上記の検出方法にこだわらなくて良い。
【００３６】
粘着ローラ３の回転角度の調整完了後、糊面保護フィルム２ａ側の外側に配置した偏光板２を粘着ローラ３の接線方向に巻付け開始端１３の位置に偏光板２を供給し、巻付けローラ４で偏光板２を粘着ローラ３に押付けて偏光板２を粘着ローラ３に巻付ける。
【００３７】
粘着ローラ３の円筒面上に設置されている孔１０を塞ぐように、偏光板２の前縁が巻付けられた後、この孔１０と図２に示す真空源をつなぐバルブ６ａを開き、偏光板２を真空吸着する。孔１０に個々に付属する図２に示す開閉バルブ６ｃは、真空吸着する孔１０の配置を事前に選出しておく。
【００３８】
巻付けローラ４は、全面に押付けるために偏光板２の幅よりも十分大きいことが好ましい。また、巻付けローラ４の機能は均一に偏光板２を粘着ローラ３に押付ける機能が必要でこれを満足する剛性が得られる材質、径のものが必要である。
【００３９】
発明者らは径３０ｍｍ以上のローラを用いたが、図６のようにバックアップローラ２０を巻付けローラ４に対して角度θで配置し力Fを負荷することで撓まないようにすることでも当初の目的を満足することができる。バックアップローラ２０の取付けは、クリーニングローラ１１、１１’に対しても同様の効果を得ることができる。偏光板２の巻付け手段については、ローラによる押付け方法だけに限るものではなく、偏光板２に傷をつけず、粘着ローラ３に偏光板２を密着できるのであればスキージなどを用いてもよい。
【００４０】
粘着ローラ３を回転させながら偏光板２を巻付けた後、偏光板の前縁は糊面保護フィルム２ａの剥離位置まで回転する。図４(ｂ)は、糊面保護フィルムが粘着ベルト５の位置で巻き挙げられている状態を示している。粘着ローラ３は、一定角度粘着ローラ３を回転させたところで偏光板２前縁の外面の糊面保護フィルム２ａを粘着ベルト５で接触させて巻上げる。
【００４１】
粘着ベルト５は、図２に示すように、一定間隔で複数台設置される。粘着ローラ３を回転させ、糊面保護フィルム２ａをある程度巻上げた段階で、糊面保護フィルム２ａを機械式チャック１９で把持し、ベルト５を移動させ糊面保護フィルムの先端を回収先に引き渡す。引渡し後は、初期の剥離位置に戻り次の偏光板を処理する時まで待機する。
【００４２】
この剥離動作の詳細を図７、図８、図９の斜視図を用いて説明する。粘着機能を持つベルト５（５ａ、５ｂ、５ｃ）が、糊面保護フィルム２ａを偏光板の前縁から持ち上げる時の様子を図７に示す。
【００４３】
まず粘着ベルト５に接着した糊面保護フィルム２ａが偏光フィルム２ｃとの間で剥離して巻上がり、その後剥離が横に伝播する。隣の粘着ベルトも同様に剥離動作を行い剥離が伝播して剥離領域が合体する。
【００４４】
その後、図８に示すとおり偏光フィルム２ｃから糊面保護フィルム２ａが端部で分離する。この時の剥離する力は、粘着ゴム３ｂの偏光板２を保持する力と反対方向に発生し、孔１０により真空吸着するので偏光板が粘着ゴム３ｂから脱落することはない。図９は偏向フィルム２ｃが粘着ベルト５によってさらに剥離された状態を示す。
【００４５】
なお、前記剥離動作の場合、孔の位置関係の例を、正面図である図１０(ａ)、断面図である１０（ｂ）に示す。糊面保護フィルム、粘着ベルト５の直下の位置と粘着ベルト５ａと粘着ベルト５ｂの中間地点、偏光板隅部に孔を配置すると、剥離による力に対して、効果的に真空吸着で保持力補助できる。円筒形部材の粘着力の状態に応じ、孔をさらに増やしても構わない。
【００４６】
また、糊面保護フィルム２ａが完全に持ち上がった図８及び図９の状態では、糊面保護フィルムには一般的に離型剤、フッ素コーティングさせていることもあり、始めに持ち上げるときよりも小さい力で剥離することができる。そのため、偏光板の端部が巻きつけられる特定領域３ａの範囲から糊面保護フィルムが剥離できた後は、偏光板が粘着ローラ３から脱落するおそれがない場合は、真空吸着を停止するあるいは大気開放してもかまわない。
【００４７】
図４（c）に戻り、糊面保護フィルム剥離後の動作を述べる。糊面２ｂが露出した偏光板２’は液晶パネル１の貼付け位置に位置決めし、図５（ｄ）のように前縁を接着させる。粘着ローラ３が偏光板２を介して液晶パネル１を加圧し始めた時に、真空吸着を解除し粘着ローラ３の円筒面の孔１０を圧空源につなぐように図２に示すバルブ６ｂを制御し、圧空を供給する。
【００４８】
圧空の供給により、粘着ローラ３表面に粘着している傷防止保護フィルム２ａを偏光フィルム２ｃから分離することなく、偏光板２’を液晶パネルへ転写する。液晶パネル１はもう１対の粘着ローラ３（図示せず）との間に挟まれ、図５（e）に示すように粘着ローラ３の回転により、液晶パネル１と偏光板２を貼り合せが進行する。
【００４９】
円筒形部材３が偏光板から離れるさい、帯電が生ずるので、円筒形部材３の芯金３ｄ、粘着ゴム３ｂのいずれか一方、または両方に導電性を持たせ、基準電位を印加することによって、円筒形部材の帯電を防止することが出来る。
【００５０】
真空吸引を圧空供給に切替える方法については、粘着ローラ３の回転角や液晶パネル１の位置および偏光板２の位置を検知し、自動制御で図２に示すバルブ６ａ、６ｂの切替制御を行えるようにすることが好ましい。
【００５１】
個々の孔またはグループ毎に図２に図示するバルブ６ｃを操作できるようにし、偏光板サイズに合わせてバルブ６ｃから真空吸引と圧空供給を行うことで、偏光板サイズ変更に柔軟に対応でき、段取り替え時間を短縮できる。
【００５２】
孔１０の噴出口の形状が円形の場合、均一に剥離領域を確保できる可能性が高く、隣の孔１０との間隔を設定しやすいが、必ずしも円形でなくても構わない。また、孔１０の径や形は、同一でなくてもよく、配置によって孔１０の径や形状を変えても構わない。
【００５３】
例えば、楕円にすることで、長軸方向の延長線上に隣の孔１０がある場合、剥離した領域が合体しやすく、噴出による剥離を効率的に行うことができる。孔１０は、傷防止保護フィルム２ｅの端部を粘着ローラ３から一気に剥離するために、偏光板開始端と平行に少なくとも一列に配置されていることが好ましい。
【００５４】
ただし、傷防止保護フィルム２eを一気に剥離できるのであれば、図１１（ａ)、図１１（ｂ）に示すように複数列平行に配置したり、千鳥格子に配置したりしても構わない。また、孔の間隔は、配管の長さ、配管構造によって噴出する圧力が損失することを考慮して、列内での間隔を変えてもよい。
【００５５】
たとえば、図１１（ａ)、図１１（ｂ）において、孔の領域をグループＡ、グループＢのように分類し、偏光板の大きさに合わせて指定したグループのみに、真空源あるいは圧空源を接続し、他の領域の孔には真空源あるいは圧空源を接続しない構成としておくことが出来る。
【００５６】
ここで発明者らは、孔１０を直径1〜2mmの円状に加工し、偏光板開始端部から3〜15mm内側に孔を一列に配置して実験を行った。流量の調整は孔１０に流量計を個々につけて行った。孔１０同士の間隔を5〜15mm配置し、0.2MPａの圧縮空気を噴出すると、偏光板と粘着ゴムの間でできた空気層は直径約20mmの円状となり、隣の孔１０と空気層がつながり、貼付け時に糊面保護フィルムを偏光フィルム２ｃから離脱させることなく液晶パネルに貼付けられることを確認した。
【００５７】
図５（e）に戻り、本実施例の偏光板貼付け後の動作を説明する。粘着ローラ３の表面には、偏光板２の削れ屑や、糊２ｂのはみ出し残渣、傷防止保護フィルム２ｅ表面に付着していた塵埃などが付着する可能性がある。このような異物が蓄積すると、粘着ローラ３と偏光板との粘着低下や、異物起因の気泡の発生が生じる。
【００５８】
そこで、粘着ローラ３の偏光板を貼付け位置から次の偏光板を受け取り位置までの間に塵埃吸着ローラ１１および１１’を配置してある。この塵埃吸着ローラ１１は粘着ローラ３に比して強い粘着力を有し、粘着ローラ３の表面に付着した異物を引き剥がして集める働きがある。
【００５９】
さらに粘着ローラ３に接している塵埃吸着ローラ１１の反対側にはより強力な粘着力を有する塵埃吸着ローラ１１’を配置してあり、異物や汚染は最終的にこの塵埃吸着ローラ１１’に集められ、粘着ローラ３は清浄さを取り戻して、次回の貼付けに対応できる。
【００６０】
なお、この塵埃吸着ローラ１１および１１’の粘着力の強化を優先し耐磨耗性が劣る場合には、塵埃吸着ローラ１１および１１’には別途クラッチ機構（図示せず）を設け、一定の生産回数毎に粘着ローラ３の清掃を行うように設定すればよい。
【００６１】
ローラ１１およびローラ１１’に導電性を持たせることによって、ローラ１１およびローラ１１’が帯電してごみが付着する現象を防止することが出来る。
【００６２】
図５（ｆ）に示すように、粘着ローラ３が一回転し、巻付け開始端１３に次の偏光板を供給し、上記に示したような流れを繰返しで、偏光板２を液晶パネル１への貼付けを連続的におこなうことができる。
【００６３】
以上で説明した方法を用いることで、偏光板２が液晶パネル１と接触する際に、偏光板は液晶パネルに圧着される瞬間まで粘着ローラ３により保持されているため、偏光板２先端部分における気泡の内在やしわの発生を防止することができる。また、これは偏光板２の終端部においても同様である。
【００６４】
粘着ローラ３を２ケ用いて液晶パネルに対して対称的に偏光板貼付け動作を行うことにより、両面同時に貼り合わせることが可能となる。
【実施例２】
【００６５】
粘着ローラの円周長が偏光板の長さに比べて長いとき、実施例１で示した偏光板の前縁近傍に設ける真空吸引または圧空供給を行う孔を複数列粘着ローラに設けることにより、連結して偏光板貼りが行える。図１２に孔を円筒面に複数箇所空けた場合の例を示す。これにより生産能力の向上を計ることが出来る。
【実施例３】
【００６６】
孔１０を偏光板巻付け開始位置１３に配置したが、偏光板の巻付け終了位置１４に孔１０を設けてもよい。図１３は，本実施例を表している。偏光板を粘着ローラ３に巻付けると、偏光板のスプリングバックにより、偏光板の巻き始めと巻き終わりの位置から粘着ローラ３に対する脱落が生じる。
【００６７】
巻付け終了位置１４に孔１０を設けることで、偏光板の終端も真空吸着できるため、偏光板の脱落を回避することができる。粘着ローラ３が粘着ローラ３での異物付着により粘着力が低下した場合や偏光板の吸湿によるそりが生じた場合に有効となる。
【実施例４】
【００６８】
実施例１〜３の処理で、偏光板の粘着ローラ３への拘束が強すぎる場合には、偏光板の糊面２ｂと反対側の面を覆う傷防止保護フィルム２eと光学機能をもつ偏光板本体２ｃが分離してしまい、製品上も装置の継続運転上も支障が生じる。図１４は、偏光板本体２ｃから傷防止保護フィルム２eが分離し粘着ローラ３に巻き取られている状態を表している。
【００６９】
そこで、真空吸引していた孔から圧空を供給し、粘着ローラ３に対する偏光板前縁の拘束を一時的に弱めることで、液晶パネルへの偏光板貼付け後に傷防止保護フィルム２eが粘着ローラに残ること無く貼付けを完了することが可能である。
【００７０】
しかし、真空吸着を圧空供給に切替えるタイミングが遅れた場合も偏光板引剥がし時の粘着ローラ３の拘束力が強すぎるため、偏光板２と粘着ローラ３との間の保持状態が不安定になり、しわや気泡が生じやすくなる。
【００７１】
発明者らは市販される偏光板２を粘着ローラ３に巻付けた状態でスプリングバックして巻付け開始位置と終了位置が粘着ローラ３から離れないことを粘着ゴムの選定指標の一つとした。
【００７２】
もう、一つの指標として、吸着・圧空供給を行わない状態で偏光板２を液晶パネル１に低速で貼った時に偏光板２の偏光フィルム２ｃと傷防止保護フィルム２ｅが分離しないこととした。吸着・圧空供給は貼付け速度上昇時にマージンを持たせるための補助的手段とした。上記に示した粘着ゴムの選定により、400mm/s以上の高速な貼付けを行っても気泡の内在やしわの発生が生じない貼付けを実現した。
【実施例５】
【００７３】
粘着ローラ３の孔に関する製造方法について実施例を説明する。孔１０を形成するためには、芯金３ｄに予めピンを打ち込んでおき、その上から未加硫のゴムを巻いて加硫する。加硫後、ピンを抜いて孔１０を形成する。本実施例では孔１０は法線方向に開けている例を示しているが、法線方向に対して傾いてもよい。
【００７４】
孔１０の形に関して、形状が円形の場合、均一に剥離領域を確保できる可能性が高く、隣の孔との間隔を設定しやすく、また均一に加工しやすく好ましいが、必ずしも円形でなくても構わない。孔１０の径や形は、同一でなくてもよく、配置によって孔１０の径や形状を変えても構わない。例えば、楕円にすることで、長軸方向の延長線上に隣の孔１０がある場合、剥離した領域が合体しやすく、噴出による剥離を効率的に行うことができる。
【実施例６】
【００７５】
実施例１〜５では、孔１０から供給して噴出するガスは圧縮空気で例示したが、圧縮空気に限定されず、アルゴンや窒素などの不活性ガスを用いてもよい。粘着ローラ３は異物や油分により粘着力が低下するため、クリーンエアーを用いることが好ましい。
【実施例７】
【００７６】
実施例５では、芯金３ｄに接着層３ｃを形成しゴムを巻付けて加硫する方法を例示したが、接着層３ｃと芯金３ｄの間に金属板３ｃ’を巻付けて固定しゴムを加硫しても構わない。金属板３ｃ’を芯金３ｄから着脱可能にすれば、粘着ゴム３ｂを加硫したあと、芯金３ｄから取り外すことが出来る。
【００７７】
図１５（ａ）に、芯金３ｄに金属板３ｃ’を巻付けたときの断面図を、図１５（ｂ）芯金３ｄに金属板３ｃ’を巻付けたときの上面図を例示する。芯金３ｄに固定ピン３００を打ち込み、可動できるスライダー３０１のピン３０２に厚みが0.1ｍｍ〜0.3ｍｍで予めピンの位置と合う箇所に孔加工を施した金属板３ｃ’を引っ掛けて巻付ける。
【００７８】
ピンの直径は、孔の直径と同じもしくはそれよりも数％大きいものが望ましい。クサビ３０３で締め上げた金属板上に、前述のブチル系合成ゴムを配合し混練して脱泡した未加硫のゴムを、接着剤を塗布した３c’に巻付け、温水加硫釜で加硫する。加硫後、熟成した後ローラ表面を研磨する。ピンが埋まっている部分のゴムを切除してクサビを抜くと、ゴムロールが金属板に接着したシートになり、芯金３ｄから分離できる。
【００７９】
芯金３ｄと金属板３ｃ’は、加硫時の熱により膨張や伸縮を考慮して、熱膨張係数が鉄、鋼レベルのものを選び、夫々の係数は近い値にすることが好ましい。
【００８０】
以上のようにすれば、粘着ゴムの不具合発生時に大形で重量物となるローラ自体の交換を行わなくても粘着ゴム３ｂをシート状で交換することができる。これにより装置維持コストを大幅に減らすことができる。さらに、シート状であれば、ゴムシート製作後に孔を、ドリルやパンチ、プレス加工などの一般的な方法で加工することができ、粘着ローラ３の製造コストを低減できる利点がある。
【実施例８】
【００８１】
実施例１〜７では、粘着ローラ３は、円筒形状で説明したが、偏光板２を貼付けるときに１回転以上しない場合、貼付け時に偏光板２の保持に使用しない外周部に継目や平坦部、曲率のちがう部分があってもよい。
【実施例９】
【００８２】
実施例１〜８では、大気圧空間であることを前提としていたが、偏光板の貼付けを減圧チャンバの中で行うと、仮に気泡が生じても大気圧に戻したときに気泡が接着剤に溶け込み消滅する。減圧チャンバの圧力は低いほうが好ましいが、ゲージ圧で−0.02〜0.05MPａ程度でも構わない。
【実施例１０】
【００８３】
ここまでの実施例１〜９では、液晶パネルに対する偏光板貼付けを例として用いたが、同様の工程は各種の平面ディスプレイにおいて普遍的な工程であり、必ずしも偏光板貼付けに限定する物ではない。
【００８４】
例えば、プラズマディスプレイパネルや有機ELパネルなどの自発光パネルにおいて外光反射による、白みを軽減するために用いられるアンチグレアフィルムを貼付ける場合や、有機ＥＬパネルで表面の薄ガラスを衝撃から保護する保護フィルムを貼付ける場合、電界効果ディスプレイで真空爆発時のガラス飛散を防止するための飛散防止フィルムを貼付ける場合など、平面ディスプレイに光学的に均一な各種機能フィルムを貼付ける工程に広く用いることが出来る。
【実施例１１】
【００８５】
以上の実施例は、液晶表示装置における偏光板の貼り付けに即して説明した。図１６は、液晶表示装置の断面図である。図１６において、画素電極および薄膜トランジスタ（ＴＦＴ）を有する画素がマトリクス状に形成されたＴＦＴ基板２０１とカラーフィルタが形成されたカラーフィルタ２０２が対向して設置され、ＴＦＴ基板２０１とカラーフィルタ２０２の間に液晶層２４０が挟持されている。液晶層２４０は封止材２１０によって封止されている。画素毎に液晶層２４０によってバックライトからの矢印で示す光の透過率を制御することによって画像を形成する。
【００８６】
液晶は偏光光のみを制御することが出来るので、バックライトからの矢印で示す光は下偏光板によって偏光光に偏光され、液晶層２４０によって制御されたあと、上偏光板によって、再び偏光（検光）され、人間の目に画像が視認される。
【００８７】
このように、偏光板の貼り付けは液晶表示装置の製造工程では重要な工程である。本発明を適用することによって、偏光板の貼り付け工程の歩留りを大幅に向上させることが出来、液晶表示装置の製造コストの低減と品質の向上に資することが出来る。
【実施例１２】
【００８８】
本発明によるフィルムの貼り付け方法は、液晶表示装置のみならず、他の表示装置においても適用することが出来る。図１７はプラズマディスプレイパネルの断面模式図である。図１７において、前面基板６０２には、放電電極となるＸ電極とＹ電極が第１の方向に延在している。背面基板６０１には、Ｘ電極あるいはＹ電極と直角方向の第２の方向に延在しているアドレス電極が形成されている。
【００８９】
前面基板６０２と背面基板６０１は封止材２１０によって封止されている。背面基板６０１には隔壁６２０が形成されており、隔壁６２０によって放電空間６２１が区画されるとともに、画素が規定される。放電によって発生する紫外線によって画素毎に形成された蛍光体を発光させて画像を形成する。
【００９０】
前面基板６０２には、コントラストを上げるための減光効果、色度調整、帯電防止、高周波の漏洩防止等のために表面保護板が形成される。この表面保護板はガラスで形成する場合もあるし、フィルムで形成する場合もある。フィルムで形成する場合（以後減光フィルム６３０）は、減光フィルム６３０を液晶表示装置における偏光板と同様に、フィルム本体と、減光フィルム６３０を前面基板６０２に接着するための接着層、フィルムを傷等から保護するための保護フィルム等が設置される。
【００９１】
したがって、実施例１〜実施例１０で説明した偏光板の接着方法は、プラズマディスプレイパネルにおける前面基板６０２への減光フィルム６３０の接着方法に適用することが出来る。
【実施例１３】
【００９２】
図１８は有機ＥＬ表示装置の断面模式図である。図１８において、素子基板４０１には、有機ＥＬ層とＴＦＴとで形成された画素がマトリクス状に配置されている。ＴＦＴは有機ＥＬ層に印加される信号をスイッチングする役割を有する。画素毎に有機ＥＬ層に映像信号を印加することによって画像を形成する。
【００９３】
有機ＥＬ層は水分によって劣化するために、ガラスで形成された封止基板４０２を素子基板４０１に対向して配置することによって、有機ＥＬ層を水分から保護している。素子基板４０１と封止基板４０２は周辺において、封止材２１０によって封止されている。
【００９４】
画素毎に赤、緑、青を発光する有機ＥＬ層が形成されているので、原理的にはフルカラーの表示が可能であるが、有機ＥＬ層の特性によって表示色が偏る場合がある。また、白色色温度を所望の値にしたい場合がある。このような場合は、有機ＥＬ表示装置の封止基板４０２に色度調整フィルム４３０を形成する。この色度調整フィルム４３０も、本体と、封止基板４０２と接着するための粘着層、および、傷等から保護するための保護フィルムから形成されていることは液晶表示装置における偏光板と同様である。
【００９５】
したがって、有機ＥＬ表示装置における色度調整フィルム４３０の接着においても、実施例１〜実施例１０で説明した本発明を適用することが出来る。なお、図１８は、有機ＥＬ層からの光を封止基板４０２側から取り出すいわゆるトップエミッション型の有機ＥＬ表示装置である。有機ＥＬ層からの光を素子基板４０１側から取り出すボトムエミッション型有機ＥＬ表示装置では、色度調整フィルム４３０は素子基板４０１側に接着すれば良い。この場合も、実施例１〜実施例１０で説明した本発明を適用することが出来る。
【実施例１４】
【００９６】
図１９は電界効果型ディスプレイパネルの断面模式図である。図１９において、カソートがマトリクス状に形成されたカソード基板５０１と、カソードに対応して蛍光体が形成されたアノード基板５０２が封止材２１０を介して対向して配置されている。カソード基板５０１とアノード基板５０２間の空間は、排気基板５０３に取り付けられた排気管を通して真空に排気される。
【００９７】
電界効果型ディスプレイパネルはフルカラーの表示が可能であるが、コントラストを改善するために減光フィルム５３０を用いる場合がある。この場合は、減光フィルム５３０をアノード基板５０２に貼り付けて対応する。この場合の減光５３０も、本体と、封止基板４０２と接着するための粘着層、および、傷等から保護するための保護フィルムから形成されていることは液晶表示装置における偏光板と同様である。
【００９８】
したがって、電界効果型ディスプレイパネルに減光フィルム５３０を接着する場合も実施例１〜実施例１０で説明した本発明の方法を適用することが出来る。
【図面の簡単な説明】
【００９９】
【図１】光学フィルムの一例である偏光板の構造を示す拡大断面図である。
【図２】本発明による光学フィルムの表示パネルへの貼付けを実現する貼付け装置の概要を示す斜視である。
【図３】本発明の動作を説明するフローチャートである。
【図４】本発明の動作のフローを説明する断面図である。
【図５】本発明の動作の図４に続くフローを説明する断面図である。
【図６】本発明の巻付け機構を説明する断面図である。
【図７】本発明の糊面保護フィルムを剥離する動作を説明する斜視図である。
【図８】本発明の糊面保護フィルムを剥離する図７に続く動作を説明する斜視図である。
【図９】本発明の糊面保護フィルムを剥離する図８に続く動作を説明する斜視図である。
【図１０】本発明の粘着ベルトと孔の位置関係を説明する図である。
【図１１】粘着ローラに形成される孔の例を示す平面図である。
【図１２】粘着ローラの複数の位置に孔が形成される例を示す断面図である。
【図１３】粘着ローラの偏光フィルム巻きつけ終了位置に孔を設けた例である。
【図１４】偏光板の傷防止フィルムが粘着ローラから剥離しない例である。
【図１５】着脱可能な粘着ローラの製造方法を示す断面図と平面図である。
【図１６】液晶表示装置の断面図である。
【図１７】プラズマディスプレイパネルの断面図である。
【図１８】有機ＥＬ表示装置の断面図である。
【図１９】電界効果型ディスプレイパネルの断面図である。
【符号の説明】
【０１００】
１     液晶パネル
２     偏光板（光学フィルム複合体）
２’   偏光板２から糊面保護フィルム２ａを除いたもの
２ａ   糊面保護フィルム
２ｂ   糊面
２ｃ   偏光板本体
２ｄ   傷防止保護フィルム
２ｄ’ 空隙
３ａ   孔のある領域
３ｂ   粘着ゴム
３ｃ   接着層
３ｄ   芯金
３ｅ   回転軸
４     巻付けローラ
５     粘着ベルト
６ａ   真空源をつなぐバルブ
６ｂ   圧空源をつなぐバルブ
６ｃ   開閉バルブ
７     角度検出器
８     バルブ切替制御コントローラ
９     配管
１０   孔
１１   クリーニングローラ
１１’ クリーニングローラ
１２   駆動源
１３   偏光板巻付け開始位置
１４   偏光板巻付け終了位置
１５   液晶パネル位置決め用センサ
１６   偏光板位置決め用センサ
１７   液晶パネル搬送ローラ
１８   偏光板搬送ローラ
１９   機械式チャック
３００  固定ピン
３０１  スライダー
３０２  ピン
３０３  クサビ
３ｃ’  金属板。
【図１】
2010145597.tif 000003
【図２】
2010145597.tif 000004
【図３】
2010145597.tif 000005
【図４】
2010145597.tif 000006
【図５】
2010145597.tif 000007
【図６】
2010145597.tif 000008
【図７】
2010145597.tif 000009
【図８】
2010145597.tif 000010
【図９】
2010145597.tif 000011
【図１０】
2010145597.tif 000012
【図１１】
2010145597.tif 000013
【図１２】
2010145597.tif 000014
【図１３】
2010145597.tif 000015
【図１４】
2010145597.tif 000016
【図１５】
2010145597.tif 000017
【図１６】
2010145597.tif 000018
【図１７】
2010145597.tif 000019
【図１８】
2010145597.tif 000020
【図１９】
2010145597.tif 000021